(57)【要約】【課題】  パソコンでのテレビ受信は屋外に設置されたアンテナや室内設置型アンテナを利用しているが、屋外に設置されたアンテナはパソコンまでの長い距離にわたってケーブルを設置する面倒な工事が必要であり、室内設置型アンテナはその設置方向、美観、安全面のほかにパソコン備品とは別にアンテナを設置するためスペースなどの問題を有する。  本発明は、このような従来の問題を解決しようとするものであり、室内設置型アンテナを使用しながらも、その欠点を有しないものを提供することを目的とする。【課題を解決するための手段】  無指向性のテレビ用平面アンテナの少なくとも一部又は全てをマウスパッドのマウス操作面に対して平行に内蔵または貼付け、このアンテナを室内アンテナとして使用する。【解決手段】テレビアンテナ内蔵のマウスパッドは多層になっており、その中にフィルム状のアンテナが内蔵されている。受信した電波をケーブルを接続してテレビ用入力プラグに接続するだけで受信が可能になる。【選択図】図１
2008131627.tif 000002
【特許請求の範囲】
【請求項１】
無指向性のテレビ用平面アンテナの少なくとも一部又は全てをマウスパッドのマウス操作面に対して平行に内蔵または貼付けたマウスパッド
【請求項２】
マウスパッドを構成する絶縁体からなる基板とマウス操作面用シートとの間に無指向性のテレビ用平面アンテナをサンドイッチ状に内蔵することを特徴とするマウスパッド
【請求項３】
無指向性のテレビ用平面アンテナが可撓性絶縁フィルム上に付着された金属で形成されていることを特徴とする請求項１、２記載のマウスパッド
【請求項４】
可撓性絶縁フィルムの一部を基板より突出させ、その突出部に無指向性のテレビ用平面アンテナの給電部を配置し、その給電部にテレビ受像用ケーブルの一端を接続可能としたことを特徴とする請求項３記載のマウスパッド
【発明の詳細な説明】
【技術分野】
【０００１】  本発明はコンピュータ用マウスパッドに係り、特にテレビ用アンテナを付属するコンピュータ用マウスパッドに関する。
【背景技術】
【０００２】  パソコンでテレビを受信するためには、従来のテレビと同様に屋外に設置したアンテナ、又は室内設置型アンテナを利用していた。【０００３】  コンピュータ用マウスパッドにアンテナを付属させた技術は公知であるが、そのアンテナはマウスパッド上で操作されるマウスに電力を供給するために、あるいは／またはマウスからの操作信号を受信してその信号を接続ケーブルを介してコンピュータに有線で入力するためのものであり、テレビ電波を受信するものではない。
【特許文献１】  特開２０００−７６００８
【特許文献２】  特開平４−１５５５１６
【０００４】  また、無指向性のテレビ用平面アンテナは公知であるが、特に本発明者が特許を取得したものは一般に使用されているマウスパッドの大きさがあれば水平状に設置するだけで、必要レベルの電波を十分に受信することが可能である。
【特許文献３】  特許第３３２３４４２号公報
【発明の開示】
【発明が解決しようとする課題】
【０００５】  以上述べたように、パソコンでのテレビ受信は屋外に設置されたアンテナや室内設置型アンテナを利用しているが、屋外に設置されたアンテナはパソコンまでの長い距離にわたってケーブルを設置する面倒な工事が必要であり、室内設置型アンテナはその設置方向、美観、安全面のほかにパソコン備品とは別にアンテナを設置するためスペースなどの問題を有する。【０００６】  本発明は、このような従来の問題を解決しようとするものであり、室内設置型アンテナを使用しながらも、その欠点を有しないものを提供することを目的とする。
【課題を解決するための手段】
【０００７】  そして、本発明は上記目的を達成するための第１の手段は、無指向性のテレビ用平面アンテナの少なくとも一部又は全てをマウスパッドのマウス操作面に対して平行に内蔵または貼付けたマウスパッド（請求項１記載の発明）である。【０００８】  また、第２の解決手段は、マウスパッドを構成する絶縁体からなる基板とマウス操作面用シートとの間に無指向性のテレビ用平面アンテナをサンドイッチ状に内蔵することを特徴とするマウスパッド（請求項２記載の発明）である。【０００９】  また、第３の解決手段は、第１、第２の解決手段の無指向性のテレビ用平面アンテナを可撓性絶縁フィルム上に付着された金属で形成することを特徴とする。（請求項３記載の発明）【００１０】  また、第４の解決手段は、第３の解決手段において、可撓性絶縁フィルムの一部を基板より突出させ、その突出部に無指向性のテレビ用平面アンテナの給電部を配置し、その突出部にテレビ受像用ケーブル接続端子を設けたことを特徴とする。（請求項４記載の発明）
【発明の効果】
【００１１】    第１の解決手段では、パソコンの備品であるマウスパッドに無指向性のテレビ用平面アンテナの少なくとも一部又は全てをマウスパッドのマウス操作面に対して平行に内蔵または貼付けたので、アンテナの設置するためのスペースが必要ない。また、マウスパッドの厚さも使用にあたって不都合となるものほど厚くならないし、無指向性であるからマウスパッドがどの方向を向いていてもテレビ電波を受信可能となる。【００１２】  また、第２の解決手段では、マウスパッドを構成する絶縁体からなる基板とマウス操作面用シートとの間に無指向性のテレビ用平面アンテナをサンドイッチ状に内蔵させたので、その製造が非常に簡単で、操作面側シートの材料を基板の材料と違えることもできる。【００１４】  また、第３の解決手段では、第１、第２の解決手段の無指向性のテレビ用平面アンテナを可撓性絶縁フィルム上に付着された金属で形成したのでアンテナ自身の厚さが薄くでき、したがって、マウスパッドも薄くでき、マウスパッドの可撓性も維持できる。【００１５】  また、第４の解決手段では、可撓性絶縁フィルムの一部を基板より突出させ、その突出部に無指向性のテレビ用平面アンテナの給電部を配置し、その突出部にテレビ受像用ケーブル接続端子を設けた、すなわち、テレビ受像用ケーブル接続端子は基板より突出した薄いフィルムに取り付けられるのでマウス操作の邪魔にならず、また、取り付けた厚さも低くできる。【００１６】  また、第５の解決手段では、協働する一組のワンタッチで接続可能なコネクターの一方を突出部に設けたので、パソコンに接続する接続ケーブルとの脱着が容易になる。
【発明を実施するための最良の形態】
【００１７】  以下、本発明の実施の形態を図１〜図６に基づいて説明する。
【実施例１】
【００１８】  図１は、本発明のマウスパッド１をテレビ受像用ケーブルである同軸ケーブル４を介してテレビ機能付きパソコン６（以下、パソコン６という）に接続した状態を示し、マウスパッド１には無指向性テレビ用平面アンテナ１３（以下、平面アンテナ１３という）が内蔵されている。同軸ケーブル４の一方側の端子と平面アンテナ１３の給電部１３３と（図２参照）が接続され、他方の側はテレビ用入力プラグ５を介してパソコン６に接続されている。平面アンテナ１３との接続部は給電カバー３でカバーされている。【００１９】  図２と図３とは請求項４記載の発明の実施例を示すもので、図２に示すようにマウスパッド１は絶縁体材料からなるスポンジ板から切り取った長方形型の基板１１と、可撓性プラスチックフィルム１３２上に銅からなるアンテナ本体１３１が圧着された平面アンテナ１３と、ビニールやウレタン等を材料とするマウス操作面シート１２とで構成される。マウス操作面シート１２は基板１１と同じ大きさの長方形でその一辺から突出する突出部１２１を有する。また、可撓性プラスチックフィルム１３２は基板１１より少し小さめの長方形でその一辺から突出する突出部１３４を有し、この突出部１３４にアンテナ本体１３１の給電部１３３が配置されている。そして、この突出部１３４には給電部１３３を貫通する孔１３５と給電部から外れた両脇に貫通する孔１３６が設けられている。【００２０】  図３は基板１１と平面アンテナ１３とマウス操作面シート１２の貼り合わせ状態を示すもので、基板１１上に平面アンテナ１３がそのアンテナ本体１３１が圧着された面を下側にして接着剤等を使って貼り合わされる。そして、操作面シート１２はその上からその突出部１２１がアンテナ１３の突出部１３４と重なり合った状態で貼られる。この貼り合わされた状態では、それぞれの突出部１２１、１３４は基板１１から張り出しており、アンテナの給電部１３３もその張り出した部分の下側に位置している。【００２１】  図４は同軸ケーブル４とアンテナ１３との接続部をカバーするとともにその接続を補助する給電部カバー３の分解図で、符号３２はその下蓋、符号３１はその上蓋を示す。下蓋３２は基板１１の厚さ以下の平板と、そこから上方に伸びる２段の突起３２１を２個と、同じように上方に伸びる突起３２２を２個有する。上蓋３１には下蓋３２の突起３２１が挿入可能な孔３１１が２個、下蓋３２の突起３２２が挿入可能な孔３１２が２個、同軸ケーブル４を通す溝３１３が設けられている。なお、突起３２１の中心距離はアンテナ１３の給電部１３３に設けられてる孔１３５の中心距離と同一であり、また、突起３２２の中心距離はアンテナ１３の突出部１３４に設けられてる孔１３６の中心距離と同一となっている。【００２２】  給電部カバー３を使った同軸ケーブル４の平面アンテナ１３への取り付け方を説明する。まず、同軸ケーブル４の一方の芯線と網線とのそれぞれに環状の端子４１１（図５参照）を取り付けておき、それら端子を金属製スプリングワッシャーを予め挿入しておいた突起３２１に挿入して平面アンテナ１３の突起部１３４の下面にあてがい、突起３２１，３２２を平面アンテナ１３の突出部に設けた孔１３５貫通させ、上蓋３１に設け��れている孔３１１，３１２を利用して操作面シート１２の上から上蓋を嵌め込む。
【実施例２】
【００２３】  図７に実施例２のマウスパッド１を示す。基板１１と操作面シート１２と平面アンテナ１３は同じ大きさの長方形型であり、基板１１と操作面シート１２との間にアンテナ本体１３１を上側にして平面アンテナ１３が張り合わされる。そして、操作面シート１２上に給電部カバー７が適宜な方法で取り付けられ、この給電部カバー７を利用して同軸ケーブルがアンテナ１３の給電部１３３に接続される。
【図面の簡単な説明】
【００２４】
【図１】マウスパッドとパソコンの接続図
【図２】マウスパッドの材料及び形状の説明図
【図３】マウスパッドの構成図
【図４】給電部上下蓋の構造図
【図５】同軸ケーブルに圧着端子取付図
【図６】マウスパッドの給電部の別途取付図
【符号の説明】
１  マウスパッド                ４  同軸ケーブル
１１  基板                      ５  テレビ用入力プラグ
１２  マウス操作面シート        ６  テレビ機能付テレビ
１３  平面アンテナ              ７  給電部ボックス
３  給電部カバー
３１  上蓋
３２  下蓋
【図１】
2008131627.tif 000003
【図２】
2008131627.tif 000004
【図３】
2008131627.tif 000005
【図４】
2008131627.tif 000006
【図５】
2008131627.tif 000007
【図６】
2008131627.tif 000008